(57)【要約】【課題】便座の表裏両面を同時に洗浄することができるとともに、単一の装置で不特定多数の洋式トイレの便座を洗浄でき、共用化できる便座洗浄装置を提供する。【解決手段】洋式便器８０の便座８０４に対し挿脱可能に収容する洗浄用ハウジング３０を、移動可能な架台本体１０に多関節アーム２０により方向転換可能に取り付け、洗浄用ハウジング３０内に、便座８０４の表裏両面を別々に洗浄し乾燥するための洗浄水及び乾燥エアを噴射する噴射ノズルを有する第１の洗浄配管及び、同様の噴射ノズルを有する第２の洗浄配管を装着し、架台本体１０に設置された洗浄水／乾燥エア供給機構７０から第１及び第２の洗浄配管の各噴射ノズルから便座８０４の表面及び裏面に高圧洗浄水を噴射して水洗いし、かつ水洗い後に各噴射ノズルから便座８０４の表面及び裏面に乾燥エアを噴射して乾燥するように構成した。【選択図】  図１
2014068778.tif 000002
【特許請求の範囲】
【請求項１】
便器本体と、前記便器本体の後部上端に設置された台座と、前記台座に前後方向に回動可能に支持され前記便器本体の開口縁部に沿って環状に成形された便座を水密に収容する洗浄空間座とを有する洋式便器に用いられる便座洗浄装置であって、
移動可能な架台本体と、
前記架台本体に水平方向に旋回可能に取り付けられた屈曲可能な多関節アームと、
前記多関節アームの揺動端に旋回及び傾動可能に支持され、前記便座の表裏両面を含む便座全体を水密に収容する洗浄空間及び前記洗浄空間に連通し前記台座に対向して開口する便座挿入開口を有する洗浄用ハウジングと、
前記便座挿入開口の周縁に沿って装着され、前記便座を前記洗浄用ハウジングに収容した時に接する前記便座挿入開口の縁部と前記台座との接触面の水密性を保持するパッキング部材と、
前記洗浄用ハウジング内の前記便座の表面と対向する箇所に前記便座の形状に沿って環状に配設され、かつ洗浄水を前記便座の表面に向けて噴射する複数の噴射ノズルを前記便座表面の全長に亘り設けてなる第１の洗浄配管と、
前記洗浄用ハウジング内の前記便座の裏面と対向する箇所に前記便座の形状に沿って環状に配設され、かつ洗浄水を前記便座の裏面に向けて噴射する複数の噴射ノズルを前記便座裏面の全長に亘り設けてなる第２の洗浄配管と、
前記架台本体に設置され、前記便座の洗浄時に前記第１及び第２の洗浄配管の前記各噴射ノズルから前記便座の表面及び裏面に高圧洗浄水を噴射して水洗いする洗浄水供給機構とを備え、
前記パッキング部材の内側に位置する前記台座の箇所に、前記便座の洗浄に使用された洗浄水を前記便器本体内に排出する排出口が形成されている、
ことを特徴とする便座洗浄装置。
【請求項２】
前記洗浄水供給機構は、高圧の洗浄水を生成する洗浄水生成部と、高圧の乾燥用エアを生成する乾燥エア生成部と、前記架台本体から前記多関節アームを通して前記洗浄用ハウジングに向け配置され、一端が前記洗浄水生成部に第１の切換弁を介して接続され他端が前記第１の洗浄配管に接続された第１の供給管と、前記架台本体から前記多関節アームを通して前記洗浄用ハウジングに向け配置され、一端が前記洗浄水生成部に接続され他端が前記第２の洗浄配管に接続された第２の供給管とを有することを特徴とする請求項１記載の便座洗浄装置。
【請求項３】
前記架台本体に設けられた操作部と、前記操作部からの操作指令に従って便座表裏面が洗浄されるように前記洗浄水生成部を制御する制御部とを備えたことを特徴とする請求項１または２記載の便座洗浄装置。
【請求項４】
前記洗浄用ハウジング内に前記便座挿入開口を通して前記便座を収容する時に、前記洗浄用ハウジングを前記便座の外側面に沿って案内し、且つ前記便座の表面と前記第１洗浄配管との間の間隔及び前記便座の裏面と第２の洗浄配管との間の間隔を一定に保つガイド部材が前記洗浄用ハウジングの内壁面に設けられていることを特徴とする請求項１乃至３のいずれか１項に記載の便座洗浄装置。
【請求項５】
前記多関節アームは、前記架台本体の上端に垂直軸を中心に一定角度旋回可能に設けられた旋回台と、前記旋回台に上下方向に揺動可能に連結された第１のアームと、前記第１のアームの揺動端に上下方向に揺動可能に連結された第２のアームと、前記第２のアームの揺動端に水平方向に揺動可能に連結された第３のアームと、前記第３のアームの揺動端に設けられ前記洗浄用ハウジングを旋回及び傾動可能に支持する支持部とを有し、前記旋回台と前記第１のアームの連結部、前記第１のアームと前記第２のアームの連結部、前記第２のアームと前記第３のアームの連結部及び前記洗浄用ハウジングの支持部は、前記第１、第２のアームの揺動姿勢及び前記洗浄用ハウジングを旋回・傾動姿勢を便座洗浄に最適な状態に保持する制動機構を内蔵していることを特徴とする請求項１または２記載の便座洗浄装置。
【請求項６】
便器本体と、前記便器本体の後部上端に設置された台座と、前記台座に前後方向に回動可能に支持され前記便器本体の開口縁部に沿って環状に成形された便座とを有する洋式便器に用いられる便座洗浄装置であって、移動可能な架台本体と、前記架台本体に水平方向に旋回可能に取り付けられた屈曲可能な多関節アームと、前記多関節アームの揺動端に旋回及び傾動可能に支持され、前記便座の表裏両面を含む便座全体を水密に収容する洗浄空間及び前記洗浄空間に連通し前記台座に対向して開口する便座挿入開口を有する洗浄用ハウジングと、前記便座挿入開口の周縁に沿って装着され、前記便座を前記洗浄用ハウジングに収容した時に密着して前記便座挿入開口の縁部と前記台座との接触面の水密性を保持するパッキング部材と、前記洗浄用ハウジング内の前記便座の表面と対向する箇所に前記便座の形状に沿って環状に配設され、かつ洗浄水及び乾燥エアを前記便座の表面に向けて噴射する複数の噴射ノズルを前記便座表面の全長に亘り設けてなる第１の洗浄配管と、前記洗浄用ハウジング内の前記便座の裏面と対向する箇所に前記便座の形状に沿って環状に配設され、かつ洗浄水及び乾燥エアを前記便座の裏面に向けて噴射する複数の噴射ノズルを前記便座裏面の全長に亘り設けてなる第２の洗浄配管と、前記架台本体に設置され、前記便座の洗浄時に前記第１及び第２の洗浄配管の前記各噴射ノズルから前記便座の表面及び裏面に高圧洗浄水を噴射して水洗いし、かつ水洗い後に前記各噴射ノズルから前記便座の表面及び裏面に乾燥エアを噴射して乾燥する洗浄水／乾燥エア供給機構とを備え、前記パッキング部材の内側に位置する前記台座の箇所に、前記台座の箇所に前記便座の洗浄及び乾燥に使用された洗浄水及び乾燥エアを前記便器本体内に排出する排出口が形成されていることを特徴とする便座洗浄装置。
【請求項７】
前記洗浄水／乾燥エア供給機構は、高圧の洗浄水を生成する洗浄水生成部と、高圧の乾燥用エアを生成する乾燥エア生成部と、前記架台本体から前記多関節アームを通して前記洗浄用ハウジングに向け配置され、一端が前記洗浄水生成部及び前記乾燥エア生成部に第１の切換弁を介して接続され他端が前記第１の洗浄配管に接続された第１の供給管と、前記架台本体から前記多関節アームを通して前記洗浄用ハウジングに向け配置され、一端が前記洗浄水生成部及び前記乾燥エア生成部に第２の切換弁を介して接続され他端が前記第２の洗浄配管に接続された第２の供給管とを有することを特徴とする請求項６記載の便座洗浄装置。
【請求項８】
前記架台本体に設けられた操作部と、前記操作部からの操作指令に従って便座表裏面が洗浄・乾燥されるように前記洗浄水生成部及び前記乾燥エア生成部を制御するとともに前記第１、第２切換弁を便座表裏面の洗浄・乾燥に合わせて制御する制御部とをことを特徴とする請求項６または７記載の便座洗浄装置。
【請求項９】
前記多関節アームは、前記架台本体の上端に垂直軸を中心に一定角度旋回可能に設けられた旋回台と、前記旋回台に上下方向に揺動可能に連結された第１のアームと、前記第１のアームの揺動端に上下方向に揺動可能に連結された第２のアームと、前記第２のアームの揺動端に水平方向に揺動可能に連結された第３のアームと、前記第３のアームの揺動端に設けられ前記洗浄用ハウジングを旋回及び傾動可能に支持する支持部とを有し、前記旋回台と前記第１のアームの連結部、前記第１のアームと前記第２のアームの連結部、前記第２のアームと前記第３のアームの連結部及び前記洗浄用ハウジングの支持部は、前記第１、第２のアームの揺動姿勢及び前記洗浄用ハウジングを旋回・傾動姿勢を便座洗浄に最適な状態に保持する制動機構を内蔵していることを特徴とする請求項６または７記載の便座洗浄装置。
【請求項１０】
前記洗浄用ハウジング内に前記便座挿入開口を通して前記便座を収容する時に前記洗浄用ハウジングを前記便座の外側面に沿って案内し、かつ前記便座の表面と前記第１の洗浄配管との間の間隔及び前記便座の裏面と前記第２の洗浄配管との間の間隔を一定に保つガイド部材が前記洗浄用ハウジングの内側壁に設けられていることを特徴とする請求項６乃至９の何れか１項に記載の便座洗浄装置。
【請求項１１】
前記架台本体は、その底部下面に取り付けられた移送用の複数のキャスターを備えることを特徴とする請求６乃至１０の何れか１項に記載の便座洗浄装置。
【発明の詳細な説明】
【技術分野】
【０００１】
本発明は、洋式トイレの便座を清潔に保つために便座の洗浄と乾燥または洗浄のみを自動的に行う機能を備える便座洗浄装置に関し、特に、不特定多数の洋式トイレの便座の洗浄に共用できる便座洗浄装置に関する。
【背景技術】
【０００２】
家庭用洋式トイレや公衆用洋式トイレに設置された洋式便器は、多数の者が利用する関係上、利用者の肌が直接触れる便座が汚物等により汚損され、不衛生になり易い。この場合、汚れた便座は、例えば消毒液等を含浸させた紙製のシート材で払拭して清浄することが行われているが、その清浄作業自体が面倒で、かつ躊躇されるとともに、便座に付着した汚物等を紙製のシート材で完全に拭き取ることは困難であった。
【０００３】
このような便座の清浄作業における負担をなくすため、便座を自動的に洗浄する便座洗浄装置が提案されている（例えば特許文献１、２参照）。
【０００４】
特許文献１に示す便座洗浄装置は、便器本体に独立して回動可能に取り付けられた便座と、便器本体に独立して開閉可能に取り付けられた便座蓋を有する洋式便器において、便座蓋の内側に便座の平面形状に沿って湾曲させたループ状の配管と、便座蓋を閉じた時に便座の外側周縁部に密接する封止弾性部材とを設け、配管には、便座の上面に臨む複数の噴射孔を配管の全長に亘り形成し、各噴射孔から便座の上面へ向けて高圧水を噴出することにより便座の上面を洗浄し、洗浄された後は、各噴出孔から便座の上面へ向けて高圧空気を噴出することにより便座の上面を乾燥するようにしたものである。
【０００５】
また、特許文献２に示す洋式便器の便座洗浄装置は、便器本体の後端に設置された洗浄室と、鉛直に立てた状態で便器本体の後方へ移動可能に設けられた便座を備える。便座の洗浄に際しては、まず、便座を鉛直に立てた状態で便器本体の後方へ移動して洗浄室内に収納し、洗浄室を密閉状態に保持する。かかる状態で、洗浄室内に設置された洗浄装置の複数のノズルから便座の上面へ向けて洗浄液を噴出することにより便座の上面を洗浄し、洗浄された後は、複数のノズルから便座の上面へ向けてエアを噴出することにより便座の上面を乾燥するようにしている。
【０００６】
しかしながら、上記特許文献１に示す便座洗浄装置は、便座蓋に洗浄機能を持たせる方式であるため、便座の上面側のみしか洗浄することができず、便座と便座蓋との水密性を保持するのが困難であり、便座と便座蓋との水密不良箇所から洗浄水が漏れ易いという問題があるほか、便座洗浄装置自体は、便器個々に装着される専用品であるため、１つの便座洗浄装置を不特定多数の便器に共用できないという問題がある。
また、上記特許文献２に示す便座洗浄装置は、便座を便器本体の後方へ移動して、作り付けの洗浄室内に収納する方式であるため、便座洗浄装置専用の貯水タンクを設置する必要があり、既設の洋式トイレには採用しにくいほか、上記特許文献１に示す便座洗浄装置と同様に、便器個々に装着される専用品であるため、１つの便座洗浄装置を不特定多数の便器に共用できないという問題がある。
【先行技術文献】
【特許文献】
【０００７】
【特許文献１】特開２０１１−１５６１３１号公報
【特許文献２】特開２０１１−０７８６７１号公報
【発明の概要】
【発明が解決しようとする課題】
【０００８】
本発明は、上述したような従来の問題を解決するためになされたもので、便座の表裏両面を同時に洗浄することができるとともに、単一の装置で不特定多数の洋式トイレの便座を洗浄でき、共用化できる便座洗浄装置を提供することを目的とする。
【課題を解決するための手段】
【０００９】
上記目的を達成するために本発明は、便器本体と、前記便器本体の後部上端に設置された台座と、前記台座に前後方向に回動可能に支持され前記便器本体の開口縁部に沿って環状に成形された便座を水密に収容する洗浄空間座とを有する洋式便器に用いられる便座洗浄装置であって、移動可能な架台本体と、前記架台本体に水平方向に旋回可能に取り付けられた屈曲可能な多関節アームと、前記多関節アームの揺動端に旋回及び傾動可能に支持され、前記便座の表裏両面を含む便座全体を水密に収容する洗浄空間及び前記洗浄空間に連通し前記台座に対向して開口する便座挿入開口を有する洗浄用ハウジングと、前記便座挿入開口の周縁に沿って装着され、前記便座を前記洗浄用ハウジングに収容した時に密着して前記便座挿入開口の縁部と前記台座との接触面の水密性を保持するパッキング部材と、前記洗浄用ハウジング内の前記便座の表面と対向する箇所に前記便座の形状に沿って環状に配設され、かつ洗浄水を前記便座の表面に向けて噴射する複数の噴射ノズルを前記便座表面の全長に亘り設けてなる第１の洗浄配管と、前記洗浄用ハウジング内の前記便座の裏面と対向する箇所に前記便座の形状に沿って環状に配設され、かつ洗浄水を前記便座の裏面に向けて噴射する複数の噴射ノズルを前記便座裏面の全長に亘り設けてなる第２の洗浄配管と、前記架台本体に設置され、前記便座の洗浄時に前記第１及び第２の洗浄配管の前記各噴射ノズルから前記便座の表面及び裏面に高圧洗浄水を噴射して水洗いする洗浄水供給機構とを備え、前記パッキング部材の内側に位置する前記台座の箇所に、前記台座の箇所に前記便座の洗浄に使用された洗浄水を前記便器本体内に排出する排出口が形成されていることを特徴とする。
【００１０】
また、本発明は、便器本体と、前記便器本体の後部上端に設置された台座と、前記台座に前後方向に回動可能に支持され前記便器本体の開口縁部に沿って環状に成形された便座とを有する洋式便器に用いられる便座洗浄装置であって、移動可能な架台本体と、前記架台本体に水平方向に旋回可能に取り付けられた屈曲可能な多関節アームと、前記多関節アームの揺動端に旋回及び傾動可能に支持され、前記便座の表裏両面を含む便座全体を水密に収容する洗浄空間及び前記洗浄空間に連通し前記台座に対向して開口する便座挿入開口を有する洗浄用ハウジングと、前記便座挿入開口の周縁に沿って装着され、前記便座を前記洗浄用ハウジングに収容した時に密着して前記便座挿入開口の縁部と前記台座との接触面の水密性を保持するパッキング部材と、前記洗浄用ハウジング内の前記便座の表面と対向する箇所に前記便座の形状に沿って環状に配設され、かつ洗浄水及び乾燥エアを前記便座の表面に向けて噴射する複数の噴射ノズルを前記便座表面の全長に亘り設けてなる第１の洗浄配管と、前記洗浄用ハウジング内の前記便座の裏面と対向する箇所に前記便座の形状に沿って環状に配設され、かつ洗浄水及び乾燥エアを前記便座の裏面に向けて噴射する複数の噴射ノズルを前記便座裏面の全長に亘り設けてなる第２の洗浄配管と、前記架台本体に設置され、前記便座の洗浄時に前記第１及び第２の洗浄配管の前記各噴射ノズルから前記便座の表面及び裏面に高圧洗浄水を噴射して水洗いし、かつ水洗い後に前記各噴射ノズルから前記便座の表面及び裏面に乾燥エアを噴射して乾燥する洗浄水／乾燥エア供給機構とを備え、前記パッキング部材の内側に位置する前記台座の箇所に、前記台座の箇所に前記便座の洗浄及び乾燥に使用された洗浄水及び乾燥エアを前記便器本体内に排出する排出口が形成されていることを特徴とする。
【発明の効果】
【００１１】
本発明の便座洗浄装置によれば、便座の表裏両面を同時に洗浄することができるとともに、不特定多数の洋式トイレの便座を単一の装置で洗浄でき、共用化できる。
【図面の簡単な説明】
【００１２】
【図１】本発明にかかる便座洗浄装置を洋式便器の便座にセットした状態を示す概略斜視図である。
【図２】図１に示す便座洗浄装置を含む洋式便器の概略平面図である。
【図３】図２のＡ−Ａ線に沿う拡大断面図である。
【図４】図１のＢ−Ｂ線に沿う拡大断面図である。
【図５】図４のＣ−Ｃ線に沿い切断して見た本実施の形態における洗浄用ハウジング内での第１（または第２）洗浄配管及びガイド部材の配置関係を示す拡大正面図である。
【図６】本実施の形態におけるガイド部材の一例を示す斜視図である。
【図７】本発明の実施の形態における洗浄水／乾燥エア供給機構の構成を示すブロック図である。
【図８】本実施の形態に示す洗浄用ハウジングの便座への収容過程を示す説明図である。
【図９】本発明の便座洗浄装置において、便座の表裏面を高圧水で洗浄だけを行なう場合の洗浄水供給機構の構成を示すブロック図である。
【発明を実施するための形態】
【００１３】
以下、本発明の便座洗浄装置における一実施の形態について、図１〜図７を参照して詳細に説明する。
本実施の形態に示す便座洗浄装置は、図１及び図２に示すように、架台本体１０と、多関節アーム２０と、洗浄用ハウジング３０と、パッキング部材４０と、第１の洗浄配管５０と、第２の洗浄配管６０と、洗浄水／乾燥エア供給機構７０を備える。
洋式便器８０は、楕円状の開口縁部８０１Ａを有する便器本体８０１と、便器本体８０１の後部上端に設置された台座８０２と、台座８０２に前後方向に回動可能に支持され、便器本体８０１の開口縁部８０１Ａに沿って環状に成形された便座８０４とを有している。
【００１４】
架台本体１０は、図１に示すように、多関節アーム２０、洗浄用ハウジング３０及び洗浄水／乾燥エア供給機構７０等を含む便座洗浄装置の各種部品を搭載し収容し得る機械的強度と一定高さ及び容積を有する四角筒体状を呈し、その底部下面には複数のキャスター１０１が取り付けられ、建物内の床面上を自由に移動できるように構成されている。
【００１５】
多関節アーム２０は、第１、第２の洗浄配管５０、６０を含む洗浄用ハウジング３０を架台本体１０の設置位置から便座洗浄位置またはその逆の方向に移動可能に支持するものであり、図１及び図２に示すように、架台本体１０の上端に垂直軸を中心に一定角度旋回可能に設けられた旋回台２０１と、旋回台２０１に連結部２０２Ａにより上下方向に揺動可能に連結された第１のアーム２０２と、第１のアーム２０２の揺動端に連結部２０３Ａにより上下方向に揺動可能に連結された第２のアーム２０３と、第２のアーム２０３の揺動端に連結部２０４Ａにより水平方向に揺動可能に連結された第３のアーム２０４と、第３のアーム２０４の揺動端に設けられ、洗浄用ハウジング３０の中央箇所を旋回及び傾動可能に支持する、例えばボールジョイント型の支持部２０５とを有している。そして、これら第１、第２、第３のアーム２０２、２０３、２０４の揺動操作、及び洗浄用ハウジング３０の旋回・傾動操作は、本実施の形態では、手動で行われる構成になっている。
【００１６】
また、図１及び図２に示すように、旋回台２０１と第１のアーム２０２の連結部２０２Ａ、第１のアーム２０２と第２のアーム２０３の連結部２０３Ａ及び第２のアーム２０３と第３のアーム２０４の連結部２０４Ａは、第１のアーム２０２、第２のアーム及び第３のアーム２０４の揺動姿勢を便座洗浄に最適な状態に保持する制動機構を内蔵している。同様にして、洗浄用ハウジング３０の支持部２０５も、洗浄用ハウジングの旋回・傾動姿勢を便座洗浄に最適な状態に保持する制動機構を内蔵している。なお、これらの制動機構には、周知の技術的手段が利用される。
【００１７】
洗浄用ハウジング３０は、便座８０４の表裏両面を洗浄する時、便座８０４の表裏両面及び側周面を含む便座全体を水漏れや空気漏れなく収容する洗浄空間３０２を構成するもので、図１〜図５に示すように、便座８０４をその前端側から収容し得るように、平面視した時の洗浄用ハウジング全体の形状が逆Ｕ字状で、かつ便座８０４の厚さに対応した扁平な形状を呈している。そして、洗浄用ハウジング３０の台座８０２と対向する下端は、台座８０２の表面形状に合わせて横方向にカットされ、このカットされた箇所には、洗浄空間３０２に連通する、横方向に長い便座挿入開口３０１が形成されている。
【００１８】
便座挿入開口３０１の縁部には、図３及び図５に示すように、便座８０４を洗浄用ハウジング３０内に収容した時に台座８０２の上面に密着して、便座挿入開口３０１の縁部と台座８０２との接触面の水密性を保持するパッキング部材４０が便座挿入開口３０１の縁部の全長に亘り装着されている。
また、パッキング部材４０の内側に位置する台座８０２の箇所には、便座８０４の表裏両面の洗浄及び乾燥に使用された洗浄水及び乾燥エアを便器本体８０１内に排出する排出口８０５が形成されている。
【００１９】
便座８０４の側周面と対向する洗浄用ハウジング３０の内側壁面には、図４及び図５に示すように、便座８０４を便座挿入開口３０１から洗浄用ハウジング３０内に収容する時に洗浄用ハウジング３０を便座８０４の外側面８０４Ｃに摺接しながら案内し、かつ便座８０４の表面８０４Ａと、これに対向する洗浄用ハウジング３０の内壁面との間の間隔、及び便座８０４の裏面８０４Ｂと、これに対向する洗浄用ハウジング３０の内壁面との間の間隔を一定に保つガイド部材９０が、便座挿入開口３０１から洗浄用ハウジング３０の上端側に向け所定の間隔で複数設けられている。また、この各ガイド部材９０は、便座８０４の側周面と、これに対向する洗浄用ハウジング３０の内側壁面との間の間隔を一定に保つ機能も兼ね備えている。
【００２０】
本実施の形態で用いられるガイド部材９０は、例えば図６に示すように、洗浄用ハウジング３０の内側壁面に固定され、コ字状に成形された合成樹脂等からなる支持体９０１と、この支持体９０１の左右の支持片９０１Ａ、９０１Ｂ間に差し渡し状態で回転可能に支持され、かつ便座８０４の側周面に沿って転動するように、便座８０４の側周面形状に合わせた円弧面を有する鼓形状のローラ９０２とから構成されている。このローラ９０２は弾性を有する合成樹脂や合成ゴムで成形されることが望ましい。なお、ガイド部材９０は図６に示す構造のものに限定されず、便座８０４に損傷を及ぼすことなく、洗浄用ハウジング３０の案内機能と、上記間隔を保持し得る構造のものであればよい。
【００２１】
ガイド部材９０により、便座８０４の表面８０４Ａと洗浄用ハウジング３０の内壁面との間の間隔、及び便座８０４の裏面８０４Ｂと洗浄用ハウジング３０の内壁面との間の間隔を一定に保つ理由は、便座８０４の表裏両面に対する好適な洗浄水及び乾燥エア噴射が得られるように、便座８０４の表面及び裏面から一定の距離離間されている。さらに、便座８０４の側周面と対向する洗浄用ハウジング３０の内壁面も便座８０４の側周面から一定の距離離間されている。
【００２２】
第１の洗浄配管５０は、洗浄水／乾燥エア供給機構７０から供給される洗浄水及び乾燥エアを便座８０４の表面８０４Ａ全体へ配給するためのもので、図３〜図５に示すように、洗浄用ハウジング３０の便座８０４の表面８０４Ａと対向する内壁面箇所に便座８０４の表面形状に沿って環状に配設されている。
また、第１の洗浄配管５０には、洗浄水及び乾燥エアを便座８０４の表面８０４Ａに向けて噴射する複数の噴射ノズル５０１が第１の洗浄配管５０の全長に亘り一定の間隔で設けられている。
【００２３】
各噴射ノズル５０１は複数の噴射孔（図示省略）を有している。そして、１つの噴射ノズル５０１の複数の噴射孔から噴射する洗浄水及び乾燥エアの噴射領域は、便座８０４の表面８０４Ａの幅を越える大きさであるとともに、隣接する噴射ノズル５０１の複数の噴射孔から噴射される洗浄水及び乾燥エアの噴射領域と互いにオーバラップするようになっている。
【００２４】
第２の洗浄配管６０は、洗浄水／乾燥エア供給機構７０から供給される洗浄水及び乾燥エアを便座８０４の裏面８０４Ｂ全体へ配給するためのもので、図３〜図５に示すように、洗浄用ハウジング３０の便座８０４の裏面８０４Ｂと対向する内壁面箇所に便座８０４の裏面形状に沿って環状に配設されている。
また、第２の洗浄配管６０には、洗浄水及び乾燥エアを便座８０４の裏面８０４Ｂに向けて噴射する複数の噴射ノズル６０１が第２の洗浄配管６０の全長に亘り一定の間隔で設けられている。
【００２５】
各噴射ノズル６０１は複数の噴射孔（図示省略）を有している。そして、１つの噴射ノズル６０１の複数の噴射孔から噴射する洗浄水及び乾燥エアの噴射領域は、便座８０４の裏面８０４Ｂの幅を越える大きさであるとともに、この複数の噴射孔から噴射する洗浄水及び乾燥エアの噴射領域は、隣接する噴射ノズル６０１の複数の噴射孔から噴射される洗浄水及び乾燥エアの噴射領域と互いにオーバラップするようになっている。
【００２６】
洗浄水／乾燥エア供給機構７０は、便座８０４の洗浄時に、第１及び第２の洗浄配管５０、６０に高圧の洗浄水及び高圧の乾燥エアを供給し、その各噴射ノズル５０１、６０１から便座８０４の表面８０４Ａ及び裏面８０４Ｂに高圧洗浄水を噴射して水洗いし、かつ水洗い後に各噴射ノズル５０１、６０１から便座８０４の表面８０４Ａ及び裏面８０４Ｂに乾燥エアを噴射して乾燥するためのもので、架台本体１０の内部に設置されている。
【００２７】
かかる洗浄水／乾燥エア供給機構７０は、図７に示すように、水道水を貯溜する貯水タンク７０１からの水を高圧（例えば５〜１０Ｍｐａ程度）の洗浄水を生成する、高圧水供給型ポンプからなる洗浄水生成部７０２と、高圧（例えば５〜１０Ｍｐａ程度）の乾燥用エアを生成する乾燥エア生成部７０３と、架台本体１０から多関節アーム２０の旋回台２０１、第１のアーム２０２及び第２のアーム２０３内を通して洗浄用ハウジング３０に向け配置され、一端が洗浄水生成部７０２及び乾燥エア生成部７０３に第１の切換弁７０４を介して接続され、他端が洗浄用ハウジング３０を貫通して第１の洗浄配管５０に接続された第１の供給管７０５と、架台本体１０から多関節アーム２０の旋回台２０１、第１のアーム２０２及び第２のアーム２０３内を通して洗浄用ハウジング３０に向け配置され、一端が洗浄水生成部７０２及び乾燥エア生成部７０３に第２の切換弁７０６を介して接続され、他端が洗浄用ハウジング３０を貫通して第２の洗浄配管６０に接続された第２の供給管７０７とを有している。
【００２８】
架台本体１０には、図１及び図７に示すように、操作盤７１０が設けられている。この操作盤７１０には便座洗浄装置を操作するための電源スイッチ７１０Ａと、便座洗浄装置の洗浄・乾燥スイッチ７１０Ｂ及び液晶表示部７１０Ｃなどを備える。
また、洗浄水／乾燥エア供給機構７０は、図７に示すように、電源スイッチ７１０Ａ、洗浄・乾燥スイッチ７１０Ｂからの操作指令に従って、便座表裏面が洗浄・乾燥されるように洗浄水生成部７０２及び乾燥エア生成部７０３を制御し、かつ第１、第２切換弁７０４，７０６を便座表裏面の洗浄・乾燥に合わせて制御する制御部７１１を備える。なお、この制御部７１１は、便座表裏面の洗浄時間及び乾燥時間を制御するタイマー７１１Ａ、及び便座表裏面の洗浄・乾燥用の処理プログラムや便座の洗浄・乾燥処理に必要なデータ等を格納するメモリ７１１Ｂ等を備えている。
【００２９】
次に、上記のように構成された便座洗浄装置により便座８０４の表裏両面を洗浄し、乾燥する場合の動作について説明する。
まず、貯水タンク７０１に水道水を一定の量貯留した状態で、便座洗浄装置を架台本体１０ごと、洗浄を要する洋式便器の設置場所に移動し、キャスター１０１をロックして、架台本体１０を固定する。
なお、水道蛇口から水道水を注入する場合は、水道蛇口に接続したホースを、貯水タンク７０１に設けられた周知のフロート弁に接続し、このフロート弁を介して水道水を自動的に注入することも可能である。
【００３０】
次に、便座洗浄装置付属の電源コード（図示せず。）を最寄りのコンセントに接続した後、多関節アーム２０の旋回台２０１を、図８の矢印Ａ方向に旋回操作して、洗浄用ハウジング３０を、便器本体８０１上でほぼ鉛直に立ち上げた便座８０４に向け、さらに、第１及び第２のアーム２０２、２０３を伸長して、洗浄用ハウジング３０を、図８に示すように、立ち上げられた便座８０４の前端部上に移動する。
この状態で、洗浄用ハウジング３０を第３のアーム２０４ごと、図８の矢印Ｂに示す水平方向に揺動操作し、かつ支持部２０５を支点に、図８の矢印Ｃに示す旋回方向及びＤに示す傾動方向に操作して、洗浄用ハウジング３０の便座挿入開口３０１を便座８０４の前端部に位置合わせする。その後、洗浄用ハウジング３０を図８の矢印Ｅ方向に手動で押し下げることにより、便座８０４を洗浄用ハウジング３０に収容する。この時、洗浄用ハウジング３０は、便座８０４の外側面８０４Ｃに摺接するガイド部材９０によって、安定かつスムーズに案内される。
そして、洗浄用ハウジング３０のパッキング部材４０を台座８０２の上面に密着させることで、便座挿入開口３０１の縁部と台座８０２との接触面の水密性を保持する。このパッキング部材４０の台座上面への密着性能は、多関節アーム２０の各連結部が有する制動機構によって保持される。
【００３１】
次に、操作部７１０の電源スイッチ７１０Ａをオン操作し、さらに、運転／停止スイッチ７１０Ｂをプッシュ操作して、便座洗浄装置を便座洗浄モードに設定する。これに伴い、洗浄・乾燥用の処理プログラムにしたがって、まず、制御部７１１から洗浄水生成部７０２に起動指令が入力されると同時に、制御部７１１からの切換信号により第１の切換弁７０４及び第２の切換弁７０６を、洗浄水生成部７０２の吐出側が第１及び第２の洗浄配管５０、６０を連通するように切り換える。これにより、洗浄水生成部７０２が起動され、貯水タンク７０１から吸入した洗浄水を高圧の洗浄水に生成した後、第１、第２の切換弁７０４、７０６及び第１、第２の供給管７０５、７０７を通して、第１の洗浄配管５０及び第２の洗浄配管６０に圧送する。
【００３２】
第１の洗浄配管５０に圧送された高圧の洗浄水は、各噴射ノズル５０１から便座８０４の表面８０４Ａに向けて噴射され、便座８０４の表面８０４Ａを全域に亘り洗浄する。
また、第２の洗浄配管６０に圧送された高圧の洗浄水は、各噴射ノズル６０１から便座８０４の裏面８０４Ｂに向けて噴射され、便座８０４の裏面８０４Ｂを全域に亘り洗浄する。そして、便座８０４の表裏両面を洗浄した後の洗浄水は、洗浄用ハウジング３０内を下方へ流下し、パッキング部材４０の内側に位置する排出口８０５から便器本体８０１内に排出される。
これら便座８０４の表裏両面の洗浄に要する時間は、タイマー７１１Ａにより設定されている。また、液晶表示部７１０Ｃには、便座８０４が洗浄状態であることが表示される。
【００３３】
便座８０４の表裏両面に対する洗浄時間が経過すると、制御部７１１から洗浄水生成部７０２に対し停止指令が出力されるため、洗浄水生成部７０２は自動的に停止する。その後、制御部７１１から乾燥エア生成部７０３に起動指令が入力されると同時に、制御部７１１からの切換信号により第１の切換弁７０４及び第２の切換弁７０６を、乾燥エア生成部７０３の吐出側が第１及び第２の洗浄配管５０、６０を連通するように切り換える。これにより、乾燥エア生成部７０３が起動され、吸入した空気を高圧の乾燥エアに生成した後、第１、第２の切換弁７０４、７０６及び第１、第２の供給管７０５、７０７を通して、第１の洗浄配管５０及び第２の洗浄配管６０に圧送する。この場合、乾燥エアを加温すれば、便座８０４の乾燥を促進できる。
【００３４】
第１の洗浄配管５０に圧送された高圧の乾燥エアは、各噴射ノズル５０１から便座８０４の表面８０４Ａに向けて噴射され、便座８０４の表面８０４Ａを全域に亘り乾燥する。
また、第２の洗浄配管６０に圧送された高圧の乾燥エアは、各噴射ノズル６０１から便座８０４の裏面８０４Ｂに向けて噴射され、便座８０４の裏面８０４Ｂを全域に亘り乾燥する。そして、便座８０４の表裏両面を乾燥した後の乾燥エアは、洗浄用ハウジング３０内を下方へ流下し、パッキング部材４０の内側に位置する排出口８０５から便器本体８０１内に排出される。この時、液晶表示部７１０Ｃには、便座８０４が乾燥状態であることが表示される。
これら便座８０４の表裏両面の乾燥に要する時間は、タイマー７１１Ａにより設定されている。したがって、タイマー７１１Ａにより設定された乾燥時間が終了すると、乾燥エア生成部７０３が自動的に停止し、便座表裏両面の洗浄及び乾燥が終了したことが操作部７１０の液晶表示部７１０Ｃに表示される。
【００３５】
便座８０４の表裏両面に対する洗浄及び乾燥が終了した後は、洗浄用ハウジング３０を便座８０４から抜き取る。この場合、洗浄用ハウジング３０を手動により、便座８０４に沿って上方へ持ち上げると、これに追従して、多関節アーム２０の第１、第２及び第３のアーム２０２、２０３及び２０４が屈曲されるため、洗浄用ハウジング３０を便座８０４から無理なく、スムーズに抜き取ることができる。
そして、キャスター１０１のロックを解除することにより、便座洗浄装置を架台本体１０ごと、洗浄を要する洋式便器の設置場所に移動することが可能になる。
【００３６】
上記のような本実施の形態に示す便座洗浄装置によれば、洋式便器８０の便座８０４に対し挿脱可能に収容する洗浄用ハウジング３０を、移動可能な架台本体１０に多関節アーム２０により方向転換可能に取り付け、洗浄用ハウジング３０内に、便座８０４の表裏両面を別々に洗浄し乾燥するための洗浄水及び乾燥エアを噴射する噴射ノズル５０１を有する第１の洗浄配管５０及び、同様の噴射ノズル６０１を有する第２の洗浄配管６０を装着し、架台本体１０に設置された洗浄水／乾燥エア供給機構７０から第１及び第２の洗浄配管５０、６０の各噴射ノズル５０１、６０１から便座８０４の表面及び裏面に高圧洗浄水を噴射して水洗いし、かつ水洗い後に各噴射ノズル５０１、６０１から便座８０４の表面及び裏面に乾燥エアを噴射して乾燥するように構成したので、便座８０４の表裏両面を同時にかつ自動的に洗浄することができ、これにより、便座８０４を常に清潔で清浄な状態に維持でるとともに、単一の便座洗浄装置で不特定多数の洋式トイレの便座を洗浄することが可能になり、便座洗浄装置の共用化を容易に実現できる。
また、本実施の形態に示す便座洗浄装置によれば、洗浄用ハウジング３０は多関節アーム２０により支持されているため、洗浄用ハウジング３０を便器本体８０１の周囲の何れの方向からでも便座８０４を洗浄用ハウジング３０内に収容することができる。
【００３７】
また、本実施の形態によれば、洗浄用ハウジング３０の内側壁面には、便座８０４の外側面８０４Ｃに摺接するガイド部材９０が設けられているため、洗浄用ハウジング３０を便座８０４に安定かつスムーズに挿着することができるほか、ガイド部材９０によって、便座８０４の表裏面と、これに対向する洗浄用ハウジング３０の内壁面との間の間隔を一定に維持でき、さらに洗浄用ハウジング３０を便座８０４に安定にセットし、かつ便座８０４から抜き取ることができる。
また、本実施の形態によれば、架台本体１０の底部下面に複数のキャスター１０１が取り付けられているため、洗浄用ハウジング３０を架台本体１０ごと、要求される何れの場所へでも自由に移動できる。
【００３８】
次に、本発明の便座洗浄装置において、便座の表裏両面を高圧水で洗浄する場合の洗浄水供給機構について図9を参照して説明する。
洗浄水供給機構１００は、図９に示すように、水道水を貯溜する貯水タンク１００１からの水を高圧（例えば５〜１０Ｍｐａ程度)の洗浄水を生成する、高圧水供給型のポンプからなる洗浄水生成部１００２と、図２に示す場合と同様に、架台本体１０から多関節アーム２０内を通して洗浄用ハウジング３０に向け配置され、一端が洗浄水生成部１００２に接続され、他端が洗浄用ハウジング３０を貫通して第1の洗浄配管５０に接続された第１の供給管１００３と、図２に示す場合と同様に、架台本体１０から多関節アーム２０内を通して洗浄用ハウジング３０に向け配置され、一端が洗浄水生成部１００２に接続され、他端が洗浄用ハウジング３０を貫通して第2の洗浄配管６０に接続された第２の供給管１００４とを有している。
【００３９】
架台本体１０に設けられた操作盤７１０には、便座洗浄装置を操作するための電源スイッチ７１０Ａと、便座洗浄装置の洗浄専用スイッチ７１０Ｄ及び液晶表示部７１０Ｃなどが設けられている。
また、洗浄供給機構１００は、図９に示すように、電源スイッチ７１０Ａ、洗浄専用スイッチ７１０Ｄからの操作指令に従って便座表裏両面が洗浄されるように洗浄水生成部１００２を制御する制御部１００５を備える。また、この制御部１００５は、便座表裏両面の洗浄時間を制御するタイマー１００５Ａ、及び便座表裏両面の洗浄用の処理プログラムや便座の洗浄処理に必要なデータ等を格納するメモり１００５Ｂ等を備える。
【００４０】
次に、便座洗浄装置により便座８０４の表裏両面のみを高圧水で洗浄する場合の動作について説明する。
この場合は、上述した便座８０４の洗浄・乾燥時と同様に、まず、貯水タンク１００１に水道水を一定の量貯留した状態で、便座洗浄装置を架台本体１０ごと、洗浄を要する洋式便器の設置場所に移動し、キャスター１０１をロックして、架台本体１０を固定する。
この場合、水道蛇口に接続したホースを、貯水タンク１００１に設けられた周知のフロート弁に接続し、このフロート弁を介して水道水を自動的に注入することも可能である。
【００４１】
次に、便座洗浄装置付属の電源コ-ド（図示せず）を最寄のコンセントに接続した後、多関節アーム２０の旋回台２０１を、便座８０４の洗浄・乾燥時と同様に操作して、洗浄用ハウジング３０を、図８に示すように立ち上げられた便座８０４の前端部上に移動し、さらに便座８０４を洗浄用ハウジング３０に収容する。そして、洗浄用ハウジング３０のパッキング部材４０を台座８０２の上面に密着させる。
【００４２】
第1の洗浄配管５０に圧送された高圧の洗浄水は、便座８０４の洗浄・乾燥時と同様に、各噴射ノズル５０１から便座８０４の表面８０４Ａに向けて噴射され、便座８０４の表面８０４Ａを全域に亘り洗浄する。
また、第２の洗浄配管６０に圧送された高圧の洗浄水は、便座８０４の洗浄・乾燥時と同様に、各噴射ノズル６０１から便座８０４の裏面８０４Ｂに向けて噴射され、便座８０４の裏面８０４Ｂを全域に亘り洗浄する。そして、便座８０４の表裏両面を洗浄した後の洗浄水は、洗浄用ハウジング３０内を下方へ流下し、パッキング部材４０の内側に位置する排出口 ８０５から便器本体８０１内に排出される。
これら便座８０４の表裏両面の洗浄に要する時間は、タイマー１００５Ａにより設定されている。また、液晶表示部７１０Ｃには、便座８０４が洗浄状態であることが表示される。
【００４３】
便座８０４の表裏両面に対する洗浄時間が経過すると、制御部１００５から洗浄水生成部１００２に対し停止指令が出力されるため、洗浄水生成部１００２は自動的に停止し、便座８０４の高圧水による洗浄が終了する。便座８０４の表裏両面に対する洗浄が終了した後は、上述した便座８０４の洗浄・乾燥時と同様に洗浄用ハウジング３０を便座８０４から抜き取る。その後、便座８０４の表面及び台座８０２等に付着している水分を、乾いた織布等で拭き取ればよい。
【００４４】
上記のような本実施の形態に示す便座洗浄装置によれば、洋式便器８０の便座８０４に対し挿脱可能に収容する洗浄用ハウジング３０を、移動可能な架台本体１０に多関節アーム２０により方向転換可能に取り付け、洗浄用ハウジング３０内に、便座８０４の表裏両面を別々に洗浄するための高圧洗浄水を噴射する噴射ノズル５０１を有する第1の洗浄配管５０、及び同様の噴射ノズル６０１を有する第２の洗浄・配管６０を装着し、架台本体１０に設置された洗浄水供給機構１００から高圧洗浄水を第１及び第2の洗浄配管５０、６０に圧送し、その各噴射ノズル５０１，６０１から高圧洗浄水を便座８０４の表面及び裏面に向け噴射して水洗いするように構成したので、便座８０４の表裏両面を同時にかつ自動的に洗浄することができ、これにより、便座８０４を常に清潔で清浄な状態に維持できるとともに、単一の便座洗浄装置で不特定多数の洋式トイレの便座を洗浄することが可能になり、便座洗浄装置の共用化を容易に実現できる。
【符号の説明】
【００４５】
１０…架台本体
１０１…キャスター
２０…多関節アーム
２０１…旋回台
２０２…第１のアーム
２０３…第２のアーム
２０４…第３のアーム
２０５…支持部
３０…洗浄用ハウジング
４０…パッキング部材
５０…第１の洗浄配管
５０１…噴射ノズル
６０…第２の洗浄配管
６０１…噴射ノズル
７０…洗浄水／乾燥エア供給機構
７０１…貯水タンク
７０２…洗浄水生成部
７０３…乾燥エア生成部
７０４…第１の切換弁
７０５…第１の供給管
７０６…第２の切換弁
７０７…第２の供給管
８０…洋式便器
８０１…便器本体
８０２…台座
８０４…便座
８０５…排出口
９０…ガイド部材
【図１】
2014068778.tif 000003
【図２】
2014068778.tif 000004
【図３】
2014068778.tif 000005
【図４】
2014068778.tif 000006
【図５】
2014068778.tif 000007
【図６】
2014068778.tif 000008
【図７】
2014068778.tif 000009
【図８】
2014068778.tif 000010
【図９】
2014068778.tif 000011